(57)【特許請求の範囲】
【請求項１】
加熱部材と加圧部材との間で用紙を挟み込み、前記用紙上の印刷剤を熱定着させる熱定着手段と、熱を放射するための開口が形成された外部加熱手段であって、前記開口が前記加熱部材を向く加熱位置と前記開口が前記用紙を向く用紙位置との間を移動可能に構成されることにより、前記加熱部材又は前記用紙を、選択的に外部から加熱する外部加熱手段と、を備える定着装置であって、前記外部加熱手段によって、前記加熱部材の長手方向における中央部に比べて、両端部がより加熱される様に構成されている定着装置と、
前記定着装置を内部に備え、一面が開放された本体部と、
前記本体部の開放された前記一面を開閉可能に覆う蓋部と、を備え、
前記外部加熱手段は、前記蓋部が開いた際に、前記加熱位置へ移動することを特徴とする、印刷装置。
【請求項２】
前記加熱部材は、内部に内部加熱手段を有することを特徴とする請求項１記載の印刷装置。
【請求項３】
前記加熱部材の長手方向中央部と前記外部加熱手段との間を遮る遮熱部が備えられ、前記遮熱部により、前記外部加熱手段による前記加熱部材の加熱が遮熱されることを特徴とする請求項１又は請求項２記載の印刷装置。
【請求項４】
前記加熱部材と前記遮熱部の間に、前記加熱部材の温度を検知する温度検知手段が備えられることを特徴とする請求項３記載の印刷装置。
【請求項５】
前記加熱部材の長手方向中央部及びその一端部と前記外部加熱手段との間を遮る遮熱部がそれぞれ備えられ、
前記加熱部材と、前記各遮熱部との間に、前記加熱部材の温度を検知する温度検知手段がそれぞれ備えられることを特徴とする請求項１又は請求項２記載の印刷装置。
【発明の詳細な説明】
【技術分野】
【０００１】
本発明は、加熱部材又は搬送される用紙を選択的に加熱する外部加熱手段を備える定着装置、及び前述した定着装置を備える印刷装置に関する。
【背景技術】
【０００２】
熱定着装置によって用紙にトナーを熱定着させるには、定着ローラの表面温度を熱定着に適した加熱温度まで上昇させる必要がある。従来、この加熱温度が高く設定されていたため、定着ローラの加熱には長時間を要していた。
【０００３】
そのため、一つの外部からの加熱手段によって、用紙をあらかじめ加熱すること（以下、「プレヒート」と呼称する）と、定着ローラの加熱を行うこととを選択的に行うことで、加熱温度を低くすることが可能となり、加熱温度まで上昇させる立ち上がり時間（以下、「ウォームアップ時間」と呼称する）を短くすることのできる技術が開示されている（例えば特許文献１参照）。
【特許文献１】実開５６−８５８５３号公報
【発明の開示】
【発明が解決しようとする課題】
【０００４】
しかしながら、上述の技術では、外部からの加熱手段によって定着ローラを加熱する際、定着ローラの長手方向の両端部により熱が逃げやすいため、中央部と両端部に温度むらが発生するという問題が生じた。
【０００５】
本発明は、上述した問題点を解決するためになされたものであり、外部加熱手段により加熱部材を加熱する際、加熱部材の長手方向における両端部を加熱することにより、加熱部材の温度むらの発生を抑制可能な定着装置、及び前述した定着装置を備える印刷装置を提供することを目的とする。
【課題を解決するための手段】
【０００６】
この目的を達成するために、請求項１記載の印刷装置は、加熱部材と加圧部材との間で用紙を挟み込み、前記用紙上の印刷剤を熱定着させる熱定着手段と、熱を放射するための開口が形成された外部加熱手段であって、前記開口が前記加熱部材を向く加熱位置と前記開口が前記用紙を向く用紙位置との間を移動可能に構成されることにより、前記加熱部材又は前記用紙を、選択的に外部から加熱する外部加熱手段と、を備える定着装置であって、前記外部加熱手段によって、前記加熱部材の長手方向における中央部に比べて、両端部がより加熱される様に構成されている定着装置と、前記定着装置を内部に備え、一面が開放された本体部と、前記本体部の開放された前記一面を開閉可能に覆う蓋部と、を備え、
前記外部加熱装置は、前記蓋部が開いた際に、前記加熱位置へ移動することを特徴とする。
【０００７】
また、請求項２記載の定着装置は、前記加熱部材は、内部に内部加熱手段を有することを特徴とする。
【０００８】
また、請求項３記載の定着装置は、前記加熱部材の長手方向中央部と前記外部加熱手段との間を遮る遮熱部が備えられ、前記遮熱部により、前記外部加熱手段による前記加熱部材の加熱が遮熱されることを特徴とする。
【０００９】
また、請求項４記載の定着装置は、前記加熱部材と前記遮熱部の間に、前記加熱部材の温度を検知する温度検知手段が備えられることを特徴とする。
【００１０】
また、請求項５記載の定着装置は、前記加熱部材の長手方向中央部及びその一端部と前記外部加熱手段との間を遮る遮熱部がそれぞれ備えられ、前記加熱部材と、前記各遮熱部との間に、前記加熱部材の温度を検知する温度検知手段がそれぞれ備えられることを特徴
とする。
【発明の効果】
【００１２】
請求項１記載の印刷装置によれば、外部加熱手段によって加熱部材を加熱する際、加熱部材の温度むらの発生を抑制することが可能である。また、使用者が外部加熱手段に直接触れることを回避することが可能である。
【００１３】
また、請求項２記載の定着装置によれば、内／外部加熱手段を有することにより、ウォームアップ時間がより短くなる。
【００１４】
また、請求項３記載の定着装置によれば、簡易な構成の外部加熱手段を用いることが可能である。
【００１５】
また、請求項４記載の定着装置によれば、外部加熱手段によって温度検知手段が直接加熱されることを防げるので、正確に加熱部材の温度を測定することが可能である。
【００１６】
また、請求項５記載の定着装置によれば、加熱部材の長手方向端部に備えられた温度検知手段が、外部加熱手段によって直接加熱されることを防げるので、より正確に加熱部材の温度を測定することが可能である。
【発明を実施するための最良の形態】
【００１８】
＜印刷装置の全体構成＞
図１は、本発明の印刷装置の一例としてのプリンタ１の概略構成を示す側断面図である。図１を用いて、プリンタ１の全体構成を説明する。説明の便宜上、図中左右方向にＸ軸を取り、図中上下方向にＹ軸を取っている。
【００１９】
尚、本発明の印刷装置は、プリンタだけでなく、後述する定着部７を備えるコピー機、複合機等、広く知られている印刷装置に適用可能である。
【００２０】
プリンタ１は、パソコンやサーバ等の図示しない上位装置、或いは、デジタルカメラやＵＳＢメモリ等の図示しない外部記憶装置から受信された画像データに基づいて用紙２に印刷するものである。
【００２１】
プリンタ１は、本発明の本体部としての本体３を備えている。本体３の前面側（＋Ｘ側）には本発明の蓋部として蓋４が備えられており、使用者が本体内部にアクセスするための入り口を覆っている。本体３の底部（−Ｙ側）には給紙トレイ５が備えられており、給紙トレイ５には、用紙２が積層されて収容されている。
【００２２】
本体３内には、給紙トレイ５から取り出した用紙２を本体３の外部（排紙トレイ８）へ搬送させる搬送路が設けられており、搬送路上には、上流側から順に、印刷部６、本発明の定着装置を構成する定着部７がそれぞれ配置されている。本体３の上側（＋Ｙ側）には排紙トレイ８が形成されており、印刷された用紙２は搬送路において搬送され、排紙トレイ８上に排出される。
【００２３】
搬送路には、用紙２を搬送させるために、給紙ローラ９と、レジストローラ１０と、排紙ローラ１１が配置されている。これら給紙ローラ９と、レジストローラ１０と、排紙ローラ１１により、搬送手段が構成される。
【００２４】
給紙手段としての給紙ローラ９は、給紙トレイ５の前端（＋Ｘ側）に配置されており、給紙トレイ５に収容される用紙２をピックアップしてレジストローラ１０へ送り出す。レジストローラ１０は、印刷部６の上流側に配置され、用紙２の斜行を補正して印刷部６へ送り出す。尚、搬送路において、給紙トレイ５、給紙ローラ９、及びレジストローラ１０により、給紙部が構成される。
【００２５】
排紙手段としての排紙ローラ１１は、印刷部６の下流側に配置され、用紙２を排紙トレイ８に排紙する。尚、搬送路において、排紙ローラ１１、及び排紙トレイ８により、排紙部が構成される。
【００２６】
印刷部６は、帯電器１２と、感光ドラム１３と、スキャナ部１４と、トナーカートリッジ１５と、トナー１６と、転写ローラ１７とによって構成されており、入力される画像データに基づいて用紙２上に画像を形成する。
【００２７】
帯電器１２は感光ドラム１３の近傍に配置されており、帯電器１２によって帯電された感光ドラム１３の表面に、スキャナ部１４からレーザが照射されて静電潜像が形成される。感光ドラム１３は、トナーカートリッジ１５からトナー１６が供給され、感光ドラム１３上の静電潜像が可視化（以下、「トナー画像」と呼称する）される。
【００２８】
感光ドラム１３には、転写ローラ１７が対向配置されており、レジストローラ１０から感光ドラム１３と転写ローラ１７との間に搬送されてきた用紙２に、感光ドラム１３と転写ローラ１７によってトナー画像が転写される。
【００２９】
感光ドラム１３の下流側には定着部７が配置され、用紙２に転写された画像が熱定着される。
【００３０】
また、本体３の前面側（＋Ｘ側）の上部（＋Ｙ側）には、蓋４の開閉状態を検出するための、開閉センサ１８が配置されている。
【００３１】
さらに、プリンタ１には入力手段としての図示しない操作部、及び表示手段としての図示しない表示部が備えられ、使用者とのインターフェイスの役割を果たす。
【００３２】
また、本体３には、プリンタ１の電源を始動又は停止するための図示しない電源スイッチが備えられている。
【００３３】
尚、本実施形態のプリンタ１は、トナーカートリッジ１５が一つしか設置されておらず、単色のトナー１６による印刷しかできないが、本発明の印刷装置はそれに限定されない。すなわち、印刷部６にトナーカートリッジ１５が複数構成され、複数のカラーのトナー１６での印刷（例えば、イエロー、マゼンタ、シアン、及びブラックのトナー１６による印刷）が可能なプリンタにも適用可能である。
＜熱定着器の全体構成＞
図２は、定着部７の全体構成を示した斜視図である。尚、図２は、後述する外部加熱部２０が用紙２を加熱している状態を示している。説明の便宜上、図１に対応して図２中にＸＹＺ軸を取っている。
【００３４】
また、図３は、定着部７の外観図であり、後述するサーミスタ２３、後述する遮熱部材
２４、及び後述する搬送される用紙２の位置関係を示す。尚、図３は図２の＋Ｘ方向から見た図である。説明の便宜上、図１及び図２に対応してＹ軸及びＺ軸を取っている。また、図３では後述する外部加熱装置２０を除いた状態で図示している。
【００３５】
さらに、図４（Ａ）及び図４（Ｂ）は、後述する外部加熱部２０が後述する加熱ローラ２１及び用紙２をそれぞれ加熱する状態を示す断面図である。説明の便宜上、図１、図２図３に対応してＸ軸及びＹ軸を取っている。
【００３６】
図２、図３、図４（Ａ）、及び図４（Ｂ）を用いて、定着部７の全体構成を説明する。
【００３７】
定着部７は、本発明の外部加熱手段である外部加熱部２０と、本発明の熱定着手段である加熱ローラ２１及び加圧ローラ２２と、本発明の温度検知部であるサーミスタ２３と、本発明の遮熱部である遮熱部材２４とにより構成されている。尚、加熱ローラ２１及び加圧ローラ２２はそれぞれ、本発明における加熱部材及び加圧部材に相当する。
【００３８】
外部加熱部２０は、加熱ローラ２１と同様に長く、一つのハロゲンヒータ２５と反射板２６と集光レンズ２７とによって構成されている。ハロゲンヒータ２５により発せられた熱は、反射板２６の開口方向へ放射される。集光レンズ２７は反射板２６の開口部を覆うように配置され、反射板２６の開口部から拡散してしまうハロゲンヒータ２５からの熱を一定方向へ放射する。また、集光レンズ２７は使用者がハロゲンヒータ２５を直接触れないよう保護する役割もある。
【００３９】
また、外部加熱部２０は、加熱ローラ２１又は搬送される用紙２のどちらかを選択的に加熱するために、回動可能に支持されている。具体的には、反射板２６及び集光レンズ２７が長手方向を軸にして回動可能に支持され、モータ３４（図４参照）によって回転駆動される。尚、ハロゲンヒータ２５は固定されており、回転駆動されない。
【００４０】
尚、本実施形態における外部加熱部２０は既に知られている構成であり、簡易な構成によって実現されている。
【００４１】
加熱ローラ２１の内部には、本発明の内部加熱手段である内部加熱部２８が備えられており、内部加熱部２８は内部から加熱ローラ２１を加熱する。
【００４２】
加圧ローラ２２は、加熱ローラ２１との間で用紙２を挟み込み、用紙２にトナーを熱定着させる。
【００４３】
サーミスタ２３は、加熱ローラ２１の表面の温度を測定するためのものであり、加熱ローラ２１の長手方向中央部及び右端部（＋Ｚ方向）にそれぞれ加熱ローラ２１に接触して配置されている。尚、本実施形態では接触式のサーミスタ２３を使用しているが、非接触式のサーミスタを使用しても良い。
【００４４】
尚、搬送される用紙２は、搬送可能なサイズの用紙２であれば加熱ローラ２１の長手方向中央部を用紙２の中央部が通るように搬送され、右端部（＋Ｚ方向）のサーミスタ２３は図３に示す様に、定着部７に搬送される用紙２の最大の用紙幅Ｗよりも外側に備えられている。
【００４５】
すなわち、中央部に備えられたサーミスタ２３は、用紙２が搬送される部分の加熱ローラ２１の温度を測定し、右端部（＋Ｚ方向）に備えられたサーミスタ２３は、用紙２が搬送されない部分の加熱ローラ２１の温度を測定している。この様にサーミスタ２３を備えることで、加熱ローラ２１から搬送される用紙２へ奪われる加熱ローラ２１の温度を正確
に測定できる。
【００４６】
尚、サーミスタ２３の配置はこの配置に限定されない。よって、右端部（＋Ｚ方向）に備えられたサーミスタ２３が、用紙２が搬送される部分の加熱ローラ２１の温度を測定しても良い。この場合は、加熱ローラ２１の温度を２箇所で測ることで、高精度な温度測定が可能となる。
【００４７】
また、言うまでもないが、右端部（＋Ｚ方向）に備えられたサーミスタ２３は、左端部（−Ｚ方向）に備えられても良く、さらに、両端に備えられても良い。
【００４８】
遮熱部材２４は、外部加熱部２０からの加熱を遮熱するものであり、加熱ローラ２１と外部加熱部２０の間に、図３に示す様に、加熱ローラ２１の長手方向中央部と右端部に配置され、中央部及び右端部（＋Ｚ方向）にそれぞれ配置されているサーミスタ２３を覆う様に配置されている。この様に遮熱部材２４を配置することで、加熱ローラ２１の長手方向中央部と、右端部（＋Ｚ方向）のそれぞれのサーミスタ２３の加熱を遮熱し、加熱ローラ２１の左右両端部のみを加熱することが可能となる。
【００４９】
加熱ローラ２１の表面は、その形状から長手方向の左右両端部の熱が逃げやすいため、内部加熱部２８のみでの加熱では、加熱ローラ２１の長手方向中央部の温度が高く、左右両端部の温度が低くなり、温度むらが発生する。しかしながら、図３及び図４（Ａ）に示す様に、外部加熱部２０により、加熱ローラ２１の長手方向の左右両端部が加熱されるため、加熱ローラ２１の温度むらの発生を抑制することが可能である。よって、加熱ローラ２１全体の温度が一様なため、品質が良好な熱定着を行うことが可能である。
【００５０】
また、外部加熱部２０及び内部加熱部２８の二つの加熱部により加熱ローラ２１を加熱することで、ウォームアップ時間を短縮することが可能である。
＜制御ブロックの構成＞
図５は、プリンタ１の制御ブロック図である。
【００５１】
プリンタ１は、制御部３０によって制御される。制御部３０は、周知のコンピュータであって、ＣＰＵ３１にＲＯＭ３２と、ＲＡＭ３３とが接続されている。ＲＯＭ３２には、プリンタ１によって印刷するための印刷プログラム、及び外部加熱部２０が動作するための加熱プログラムが記憶され、ＣＰＵ３１によって、ＲＯＭ３２に記憶されたプログラムが実行される。
【００５２】
また、ＣＰＵ３１には、開閉センサ１８が接続され、本体３に対して蓋４の開閉状態が検出される。
【００５３】
さらに、ＣＰＵ３１には、モータ３４が接続され、プリンタ１の状態に応じてＣＰＵ３１により外部加熱部２０の反射板２６及び集光レンズ２７が長手方向を軸にして回転駆動される。
【００５４】
また、ＣＰＵ３１には、外部加熱部２０のハロゲンヒータ２５、及び内部加熱部２８が接続され、同様に接続されているサーミスタ２３から得られる温度値に応じて、ＣＰＵ３１によりハロゲンヒータ２５及び内部加熱部２８による加熱が制御される。
【００５５】
尚、ＣＰＵ３１には、印刷部６や、各種ローラ等が接続されているが、図４では省略する。
＜定着部７の動作説明＞
図６は本発明の定着装置が構成される定着部７の後述するウォームアップ動作及び後述
するプレヒート動作を示したフローチャートである。さらに、図７は、蓋４が開けられた際の定着部７の動作を示したフローチャートである。図４（Ａ）、図４（Ｂ）、図６、及び図７を用いて、定着部７の動作を説明する。
【００５６】
まず、ＣＰＵ３１によって図６のステップ（以下、「Ｓ」と略記する）１０１において、図示しない電源スイッチがオンされた場合、又はプリンタ１が長時間印刷されない状態から印刷動作が可能な状態に立ち上がる場合（以下、「省電力モードからの立ち上がり」と呼称する）（Ｓ１０１：Ｙ）が判断されると、プリンタ１はウォームアップ動作が開始される。尚、ウォームアップ動作とはプリンタ１が印刷動作を実行できる様に準備を行うことであり、このとき定着部７の加熱ローラ２１の表面は熱定着に必要な加熱温度まで加熱される。
【００５７】
ウォームアップ動作の際は、Ｓ１０２において、ＣＰＵ３１によってモータ３４が駆動し、図４（Ａ）に示す、外部加熱部２０の反射板２６の開口方向が加熱ローラ２１に向く位置の方へ、外部加熱部２０が回転駆動される。そして、Ｓ１０３において、外部加熱部２０のハロゲンヒータ２５によって加熱ローラ２１の表面が加熱される。
【００５８】
この時、加熱ローラ２１は円周方向を均等に加熱するために回転駆動（ガラ回し）され、内部加熱部２８も加熱ローラ２１の表面を内部から加熱する。また、外部加熱部２０及び遮熱部材２４により、加熱ローラ２１の長手方向左右両端部が加熱され、且つ、内部加熱部２８により、加熱ローラ２１が内部から加熱されることによって、加熱ローラ２１の表面は一様な温度分布となり、温度むらの発生が抑制される。
【００５９】
次に、Ｓ１０４において、サーミスタ２３により、加熱ローラ２１の表面温度が加熱温度まで加熱されたかが判断される。この時、加熱ローラ２１が加熱温度まで加熱されたと判断される条件は、中央部と右端部（＋Ｚ方向）に配置されているそれぞれのサーミスタ２３が加熱温度に達したと検知することである。
【００６０】
尚、加熱ローラ２１を加熱する際、加熱ローラ２１の長手方向中央部と端部で温度むらの発生を抑制する様に、外部加熱部２０、及び内部加熱部２８を制御する。具体的には、中央部のサーミスタ２３が加熱温度に達し、右端部（＋Ｚ方向）のサーミスタ２３が加熱温度に達していない場合、内部加熱部２８の加熱を停止し、外部加熱部２０のみで加熱ローラ２１を加熱する。言うまでもないが、逆の場合は内部加熱部２８のみで加熱する。
【００６１】
ここで、加熱ローラ２１が加熱温度に達していない（Ｓ１０４：Ｎ）と判断されると、外部加熱部２０及び内部加熱部２８によって、加熱ローラ２１が加熱温度に達するまで上述の制御によって加熱が続行される。
【００６２】
また、加熱ローラ２１の表面温度が加熱温度まで達している（Ｓ１０４：Ｙ）と判断されると、次に、Ｓ１０５において、印刷動作が実行されたかどうか判断される。尚、印刷動作とはプリンタ１によって用紙２に画像を印刷する動作のことである。また、印刷動作は、使用者による図示しない上位装置及び図示しない操作部からの印刷指令に応じて実行される。
【００６３】
ここで、印刷動作が実行されていない（Ｓ１０５：Ｎ）と判断されると、加熱ローラ２１の温度を一定に保つため、Ｓ１０３及びＳ１０４において、ウォームアップ動作が継続される。ウォームアップ動作が継続される間は、加熱ローラ２１の温度は一様に保たれ、用紙２のトナー１６の熱定着は良好に実行される。
【００６４】
一方、Ｓ１０５において、印刷動作が実行された（Ｓ１０５：Ｙ）と判断されると、次
に、Ｓ１０６において、ＣＰＵ３１によってモータ３４が駆動し、図４（Ｂ）に示す、外部加熱部２０の反射板２６の開口方向が用紙２の搬送経路に向く位置の方へ、外部加熱部２０が回転駆動される。そして、Ｓ１０７において、外部加熱部２０のハロゲンヒータ２５によって搬送されてくる用紙２がプレヒートされる。プレヒートは印刷動作の用紙２の搬送と同期し、搬送される用紙２毎にプレヒートの熱が照射される様に、外部加熱部２０のハロゲンヒータ２５は制御される。
【００６５】
尚、用紙２は加熱ローラ２１及び加圧ローラ２２による熱定着の前にプレヒートされることで、熱定着に必要な加熱ローラ２１の加熱温度が低く設定されることが可能となる。よって、ウォームアップ時間を短縮することが可能である。
【００６６】
その後、Ｓ１０８において、印刷動作が終了したか判断されると、Ｓ１０２に戻り、ウォームアップ動作が実行される。
【００６７】
尚、使用者によって電源スイッチがオフされた場合は、強制的にプリンタ１の動作は停止する。また、ウォームアップ動作をしている時間が、省電力モードへ移行されるための所定時間を経過すると、ウォームアップ動作は停止され、外部加熱部２０及び内部加熱部２８の加熱は停止される。
【００６８】
次に、プリンタ１の蓋４が開けられた際の動作を説明する。
【００６９】
プリンタ１の図示しない電源スイッチがオンされている際に、図７のＳ２０１においてプリンタ１の開閉センサ１８によって蓋４が開けられた（Ｓ２０１：Ｙ）と判断されると、Ｓ２０２において、外部加熱部２０のハロゲンヒータ２５及び内部加熱部２８により加熱が実行されているか判断される。
【００７０】
ここで、外部加熱部２０のハロゲンヒータ２５及び内部加熱部２８により加熱が実行されていると判断される（Ｓ２０２：Ｙ）と、Ｓ２０３において、外部加熱部２０のハロゲンヒータ２５及び内部加熱部２８の加熱が停止される。次に、Ｓ２０３の処理が終了するか、又はＳ２０２において、外部加熱部２０のハロゲンヒータ２５及び内部加熱部２８により加熱が実行されていないと判断される（Ｓ２０２：Ｎ）と、Ｓ２０４において、外部加熱部２０が、図４（Ａ）に示す加熱ローラ２１を向く方向に位置しているかが判断される。
【００７１】
ここで、外部加熱部２０が加熱ローラ２１を向く方向に位置していない（Ｓ２０４：Ｎ）と判断されると、Ｓ２０５において、ＣＰＵ３１はモータ３４を駆動させ、外部加熱部２０を加熱ローラ２１に向く位置の方へ回転駆動させる。尚、この位置が本発明の退避位置に相当する。
【００７２】
また、Ｓ２０４において、外部加熱部２０が加熱ローラ２１を向く方向に位置している（Ｓ２０４：Ｙ）と判断されると、外部加熱部２０は回転駆動されない。
【００７３】
よって、使用者がプリンタ１の本体３の内部へアクセスする際、外部加熱部２０を直接触ることを回避することができる。
＜変形例の説明＞
尚、本発明の定着装置及び印刷装置は以上の構成に限定されない。
【００７４】
例えば、本発明の定着装置は、内部加熱部２８が存在せず外部から加熱ローラ２１を加熱し上述した内部加熱部２８と同様の効果を奏する新たな外部加熱部が存在する定着部７や、サーフ定着を実行可能な定着部７においても適用可能である。
【００７５】
その場合、加熱ローラ２１を外部から加熱ローラ２１の長手方向に対して均一に加熱する際にも、加熱ローラ２１の形状から長手方向端部の熱が逃げやすく温度むらが同様に発生するため、同様の効果を得ることができる。
【００７６】
また、サーミスタ２３が一つの定着部７においても適用可能である。この場合、加熱ローラ２１の長手方向中央部にサーミスタ２３を配置する際は、上記実施形態における、加熱ローラ２１の長手方向の右端部（＋Ｚ方向）に配置された遮熱部材２４は必要ないため、遮熱部材２４は加熱ローラ２１の長手方向中央部のみを遮熱する構成であれば良い。
【００７７】
言うまでもないが、内部加熱部２８のない加熱ローラ２１を用い、サーミスタ２３が一つの定着部７においても本発明は適用可能である。
【００７８】
さらに、本発明の外部加熱手段は、二つの外部加熱部２０が加熱ローラ２１の長手方向の左右両端部にそれぞれ一つずつ配置される構成であっても良い。
【図面の簡単な説明】
【００７９】
【図１】本発明の印刷装置であるプリンタ１の概略構成を示す側断面図である。
【図２】本発明の定着部７の全体構成を示す斜視図である。
【図３】遮熱部材２４及び、サーミスタ２３の位置関係を示すための外観図である。
【図４】（Ａ）は、外部加熱部２０によって、外部加熱部２１が加熱される際の説明をする断面図、（Ｂ）は、外部加熱部２０によって、搬送される用紙２が加熱される際の説明をする断面図。
【図５】プリンタ１の制御ブロック図である。
【図６】定着部７のウォームアップ動作及びプレヒート動作を示したフローチャートである。
【図７】蓋４が開けられた際の定着部７の動作を示したフローチャートである。
【符号の説明】
【００８０】
２  用紙
３  本体
４  蓋
７  定着部
１８  開閉センサ
２０  外部加熱部
２１  加熱ローラ
２２  加圧ローラ
２３  サーミスタ
２４  遮熱部材
２８  内部加熱部
【図１】
0004821777.tif 000002
【図２】
0004821777.tif 000003
【図３】
0004821777.tif 000004
【図４】
0004821777.tif 000005
【図５】
0004821777.tif 000006
【図６】
0004821777.tif 000007
【図７】
0004821777.tif 000008